(57)【要約】【課題】クリック動作に伴うユーザのクリック感の向上、及び静音性の向上を十分に追求することの可能なマウス装置を提供する。【解決手段】中空な筐体と、筐体内に配置されたスイッチと、筐体の上部に設けられてこの筐体の略上下方向に移動可能な操作部と、操作部の移動をスイッチに伝達する伝達部とを備えるマウス装置において、スイッチが自身の移動により操作入力がされる入力部を備え、伝達部の先端部は、操作部の移動方向に沿った断面において入力部に点接触可能な形状を有する。【選択図】図１５
2018163480.tif 000002
【特許請求の範囲】
【請求項１】
中空な筐体と、前記筐体内に配置されたスイッチと、前記筐体の上部に設けられてこの筐体の略上下方向に移動可能な操作部と、前記操作部の移動を前記スイッチに伝達する伝達部とを備えるマウス装置において、
前記スイッチは自身の移動により操作入力がされる入力部を備え、
前記伝達部の先端部は、前記操作部の移動方向に沿った断面において前記入力部に点接触可能な形状を有することを特徴とするマウス装置。
【請求項２】
前記伝達部の先端部は前記入力部に線接触可能な形状を有することを特徴とする請求項１記載のマウス装置。
【請求項３】
前記伝達部の先端部は前記入力部に点接触可能な形状を有することを特徴とする請求項２記載のマウス装置。
【請求項４】
前記入力部は前記筐体の略上下方向に移動可能にされ、この上下方向の移動により操作入力がされることを特徴とする請求項１〜３のいずれかに記載のマウス装置。
【請求項５】
前記操作部は前記筐体に設けられた支点を中心としてこの筐体の略上下方向に揺動可能に設けられ、前記伝達部は前記操作部の揺動に連れて前記筐体の略上下方向に揺動することを特徴とする請求項１〜４のいずれかに記載のマウス装置。
【請求項６】
前記操作部は前記筐体に設けられた支点を中心としてこの筐体の略左右方向に揺動可能に設けられ、前記伝達部は前記操作部の揺動に連れて前記筐体の略左右方向に揺動することを特徴とする請求項１〜５のいずれかに記載のマウス装置。
【請求項７】
前記入力部は前記伝達部の先端部に当接可能な略平坦な入力面を有することを特徴とする請求項１〜６のいずれかに記載のマウス装置。
【請求項８】
中空な筐体と、前記筐体内に配置されたスイッチと、前記筐体の上部に設けられてこの筐体の略上下方向に移動可能な操作部と、前記操作部の移動を前記スイッチに伝達する伝達部とを備えるマウス装置において、
前記スイッチは、前記筐体の略上下方向に沿った移動により操作入力がされる入力部を備え、
前記伝達部の先端部は、前記入力部をその移動方向に沿って移動させることが可能な形状に形成されていることを特徴とするマウス装置。
【発明の詳細な説明】
【技術分野】
【０００１】
本発明は、筐体と、この筐体内に配置されたスイッチと、筐体に設けられた操作部の移動をスイッチに伝達する伝達部とを備えるマウス装置に関する。
【背景技術】
【０００２】
パーソナルコンピュータに代表される情報処理装置に接続され、ユーザの座標指定及び操作入力を情報処理装置に伝達するマウス装置は周知である。一般的なマウス装置は、中空な筐体内にマイクロスイッチと呼ばれるスイッチを配置し、筐体の上部に設けられた押下可能な操作部をユーザが押し下げると、この押下動作により操作部が下方に移動し、この操作部の移動をバーによりスイッチに伝達する構成を備えている。
【０００３】
近年、オフィス等の静粛性を求められる場所でのマウス装置の操作を考慮して、スイッチに操作入力がされた際に、スイッチ内部に設けられた復帰用バネの動作に伴うクリック音を低減したマイクロスイッチ（以下、静音型マイクロスイッチと称する）が実現され、この静音型マイクロスイッチを用いたマウス装置（以下、静音型マウス装置と称する）が実現されている。現在実用化されている静音型マイクロスイッチとしては、バーによる操作入力を自身の上下動により受け入れる入力部を備えているものが知られている。このような、静音型マイクロスイッチを用いた従来の静音型マウス装置について、図１〜図１３を参照して説明する。
【０００４】
図１は、静音型マイクロスイッチを用いた従来の静音型マウス装置の外観を示す斜視図、図２は図１の一部破断断面図、図３は図２のＡ−Ａ矢視断面図、図４は図２のＤ部拡大図、図５は図３のＧ部拡大図である。
【０００５】
これら図において、従来の静音型マウス装置Ｍは、内部が中空に形成された筐体１を有する。筐体１の図１における上面には、ユーザがこのマウス装置Ｍの筐体１を掌で包むように保持した際にその人差し指及び中指の先端部に相当する位置に一対の操作部２、３が設けられている。
【０００６】
これら操作部２、３は、操作部２、３の後端部（図２において左端部）において筐体１に片持ち状態に支持されており、これにより、操作部２、３は、筐体１との支持部を支点として、この筐体１の図１及び図２の略上下方向に揺動可能に設けられている。加えて、操作部２、３は、図２に示すように略平板状に形成されているので、この操作部２、３が図３の上下方向に捻れることで、筐体１の図３において略左右方向に揺動可能に設けられている。
【０００７】
筐体１の底部（図２において下部）には略水平方向（図２及び図３においてそれぞれ左右方向）に延在する底板１ａが設けられており、この底板１ａの上面であって、操作部２、３に対向する位置には一対の静音型マイクロスイッチ４が設けられている。マイクロスイッチ４は、略立方体状の本体４ａと、この本体４ａに対して図２及び図３において上下方向に移動可能な略円柱状の入力部４ｂとを備えている。マイクロスイッチ４は、この入力部４ｂが筐体１の図２及び図３において略上下方向に移動可能となるように底板１ａの上面に配置されている。入力部４ｂの上面４ｃは、図４及び図５に詳細を示すように、入力部４ｂの移動方向に直交する方向、すなわち、図４及び図５においてそれぞれ左右方向に延在する平坦な入力面に形成されている。
【０００８】
操作部２、３の図２において下面には、これら操作部２、３の下面からマイクロスイッチ４に向けて図２及び図３の上下方向、すなわち垂直方向に延びる棒状の伝達部５、６が設けられている。この伝達部５、６の先端部（図２及び図３において下端部）５ａ、６ａは、図４及び図５に詳細を示すように、マイクロスイッチ４の入力部４ｂの入力面４ｃと同様に、図４及び図５においてそれぞれ左右方向に延在する平坦な面に形成されている。
【０００９】
これにより、伝達部５、６は操作部２、３の上下動に連れて同様に上下動するので、ユーザが人差し指または中指で操作部２、３を下方に押下して操作入力動作をすると、操作部２、３の下方への移動に伴って伝達部５、６も同様に下方に移動し、その先端部５ａ、６ａがマイクロスイッチ４の入力部４ｂの入力面４ｃに接触してさらに下方に移動することで、マイクロスイッチ４の入力部４ｂが下方に押下され、結果として、操作部２、３への操作入力がマイクロスイッチ４の入力部４ｂに伝達される。
【００１０】
なお、マイクロスイッチ４は、図示を省略するが、入力部４ｂの図２及び図３の下方に設けられた上下動可能なバネと、このバネの下方に設けられたスイッチ部とを備え、バネの付勢力に抗して入力部４ｂが下方移動するとこのバネによりスイッチ部が押下されて操作入力がされるとともに、ユーザが操作部２、３の押下動作を止めるとバネの付勢力によりスイッチ部の操作入力が止められるとともに入力部４ｂが上方に移動し、これに伴って伝達部５、６も上方に移動され、図１〜図３に示す位置に戻る。これら一連の動作をクリック動作ということがある。
【００１１】
なお、マウス装置Ｍは、筐体１の底板１ａが略水平の操作面上に載置され、この操作面上を筐体１が水平移動する距離及び方向を座標値として検出する機構、一例としてＬＥＤ（Light Emitting Diode）及び受光部の一対からなる機構、及び、この機構やマイクロスイッチ４の操作入力を電気信号として出力する回路を備えるが、図１〜図５、及び以降の図面においてかかる機構及び回路の図示を省略している。
【先行技術文献】
【特許文献】
【００１２】
【特許文献１】特開２０１３−１１７９３９号公報
【発明の概要】
【発明が解決しようとする課題】
【００１３】
しかしながら、上述した従来の静音型マウス装置Ｍでは、操作部２、３が筐体１に対して片持ち状態に支持されていたので、上述のクリック動作に伴うユーザのクリック感の向上、及び静音性の向上を十分に追求できない可能性があった。この点について以下詳細に説明する。
【００１４】
一例として、ユーザがマイクロスイッチ４の真下に相当する操作部２の位置（図１においてＫ部）を押下した場合を考える。かかるユーザによる押下動作により、図６及び図８の点線で示すように、操作部２は下方移動し、これに伴って伝達部５も下方移動し、結果的に入力部４ｂが下方移動されて操作入力がされるわけであるが、上述のように操作部２は筐体１に対して片持ち状態で支持されているので、筐体１の支持部を支点として筐体１の上下方向に揺動可能に設けられている。
【００１５】
従って、伝達部５は図８の点線で示すように図８の下方向及び左方向に移動し、結果として入力部４ｂを下方向及び左方向に（図８では１度だけ傾いて）押下することになる。このため、入力部４ｂが円滑に下方移動することが阻害される可能性があり、結果として、クリック動作に伴うユーザのクリック感の向上、及び静音性の向上を十分に追求できない可能性があった。
【００１６】
同様に、ユーザがマイクロスイッチ４の真下からややずれた位置、具体的には操作部２の図１１において左端部に相当する操作部２の位置（図１においてＬ部）を押下した場合を考える。かかるユーザによる押下動作により、図１０及び図１２の点線で示すように、操作部２は下方移動し、これに伴って伝達部５も下方移動し、結果的に入力部４ｂが下方移動されて操作入力がされるわけであるが、上述のように操作部２は筐体１に対して片持ち状態で支持されているので、筐体１の支持部を支点として筐体１の上下方向及び左右方向に揺動可能に設けられている。
【００１７】
従って、伝達部５は図１２の点線で示すように図８の下方向及び左方向に移動するとともに、図１３に示すように図１３の左側に傾いて移動し、結果として入力部４ｂを図１２の下方向及び左方向、さらには図１３の右方向に（図１３では１．６２度だけ傾いて）押下することになる。このため、入力部４ｂが円滑に下方移動することがさらに阻害される可能性があり、結果として、クリック動作に伴うユーザのクリック感の向上、及び静音性の向上を十分に追求できない可能性があった。
また、入力部４ｂが円滑に下方に移動しない状態が繰り返され、入力部４ｂが意図した通りに押下されない場合や、押下の後、ボタンが戻らなくなるなどの問題があった。
【００１８】
なお、マウス装置Ｍの伝達部５、６の先端部５ａ、６ａに、この伝達部５、６より材料硬度の硬い材料からなる当接ブロックを設けて摩耗を防いだ技術が提案されているが（特許文献１参照）、かかる技術であってもなお入力部４ｂが円滑に下方移動することが阻害される可能性を排除することはできない。
【００１９】
本発明は上述した課題に鑑みてなされたものであり、静音型マウス装置においてクリック動作に伴うユーザのクリック感の向上、及び静音性の向上を十分に追求することの可能なマウス装置の提供をその目的の一つとしている。
【課題を解決するための手段】
【００２０】
本発明は、中空な筐体と、筐体内に配置されたスイッチと、筐体の上部に設けられてこの筐体の略上下方向に移動可能な操作部と、操作部の移動をスイッチに伝達する伝達部とを備えるマウス装置に適用される。そして、スイッチが自身の移動により操作入力がされる入力部を備え、伝達部の先端部が、操作部の移動方向に沿った断面において入力部に点接触可能な形状を有することにより、上述の課題の少なくとも一つを解決している。
【００２１】
本発明では、伝達部の先端部が、操作部の移動方向に沿った断面において入力部に点接触可能な形状を有しているので、操作部の移動が厳密に上下方向に沿った移動でない場合でも、スイッチの入力部をその移動方向にほぼ沿った状態で移動させることができる。
【００２２】
ここで、伝達部の先端部は入力部に線接触可能な形状を有することが好ましく、さらに、伝達部の先端部は入力部に点接触可能な形状を有することが好ましい。
【００２３】
また、入力部は筐体の略上下方向に移動可能にされ、この上下方向の移動により操作入力がされることが好ましい。
【００２４】
また、操作部は筐体に設けられた支点を中心としてこの筐体の略上下方向に揺動可能に設けられ、伝達部は操作部の揺動に連れて筐体の略上下方向に揺動することが好ましく、さらに、操作部は筐体に設けられた支点を中心としてこの筐体の略左右方向に揺動可能に設けられ、伝達部は操作部の揺動に連れて筐体の略左右方向に揺動することが好ましい。
【００２５】
そして、入力部は伝達部の先端部に当接可能な略平坦な入力面を有することが好ましい。
【００２６】
また、本発明は、中空な筐体と、筐体内に配置されたスイッチと、筐体の上部に設けられてこの筐体の略上下方向に移動可能な操作部と、操作部の移動をスイッチに伝達する伝達部とを備えるマウス装置に適用される。そして、スイッチが、筐体の略上下方向に沿った移動により操作入力がされる入力部を備え、伝達部の先端部が、入力部をその移動方向に沿って移動させることが可能な形状に形成されていることにより、上述の課題の少なくとも一つを解決している。
【発明の効果】
【００２７】
本発明によれば、クリック動作に伴うユーザのクリック感の向上、及び静音性の向上を十分に追求することの可能なマウス装置を実現することができる。
【図面の簡単な説明】
【００２８】
【図１】本発明が適用されるマウス装置の外観を示す斜視図である。
【図２】従来のマウス装置の一部破断断面図である。
【図３】図２のＡ−Ａ矢視断面図である。
【図４】図２のＤ部拡大図である。
【図５】図３のＧ部拡大図である。
【図６】図１のＫ部を押し下げた状態における一部破断断面図である。
【図７】図６のＢ−Ｂ矢視断面図である。
【図８】図６のＥ部拡大図である。
【図９】図７のＨ部拡大図である。
【図１０】図１のＬ部を押し下げた状態における一部破断断面図である。
【図１１】図１０のＣ−Ｃ矢視断面図である。
【図１２】図１０のＦ部拡大図である。
【図１３】図１１のＩ部拡大図である。
【図１４】本発明の第１実施形態であるマウス装置における、図２に対応するＤ部拡大図である。
【図１５】本発明の第１実施形態であるマウス装置における、図３に対応するＧ部拡大図である。
【図１６】本発明の第１実施形態であるマウス装置における、図６に対応するＥ部拡大図である。
【図１７】本発明の第１実施形態であるマウス装置における、図７に対応するＨ部拡大図である。
【図１８】本発明の第１実施形態であるマウス装置における、図１０に対応するＦ部拡大図である。
【図１９】本発明の第１実施形態であるマウス装置における、図１１に対応するＩ部拡大図である。
【図２０】本発明の第２実施形態であるマウス装置における、図２に対応するＤ部拡大図である。
【図２１】本発明の第２実施形態であるマウス装置における、図３に対応するＧ部拡大図である。
【図２２】本発明の第２実施形態であるマウス装置における、図６に対応するＥ部拡大図である。
【図２３】本発明の第２実施形態であるマウス装置における、図７に対応するＨ部拡大図である。
【図２４】本発明の第２実施形態であるマウス装置における、図１０に対応するＦ部拡大図である。
【図２５】本発明の第２実施形態であるマウス装置における、図１１に対応するＩ部拡大図である。
【発明を実施するための形態】
【００２９】
（第１実施形態）
図１４〜図１９を参照して、本発明の第１実施形態であるマウス装置について説明する。図１４は、本発明の第１実施形態であるマウス装置における、図２に対応するＤ部拡大図、図１５は本発明の第１実施形態であるマウス装置における、図３に対応するＧ部拡大図である。
【００３０】
本実施形態を含む本発明のマウス装置Ｍは、上述した従来の静音型マウス装置Ｍと比較してその伝達部５、６の先端部５ａ、６ａの形状のみ異なり、他の構成は従来の静音型マウス装置Ｍと略同一である。従って、同一の構成要素については同一の符号を付し、その説明を簡略化する。
【００３１】
本実施形態のマウス装置Ｍは、伝達部５、６の先端部５ａ、６ａが、操作部２、３の移動方向に沿った断面において、マイクロスイッチ４の入力部４ｂに点接触可能な形状を有する点に特徴がある。より具体的には、図１５にもっともよく示すように、伝達部５、６の先端部５ａ、６ａは、筐体１の上下方向（図１５においても上下方向）、すなわち操作部２、３の移動方向である上下方向に沿った断面に沿って、マイクロスイッチ４の入力部４ｂに点接触可能な形状に形成されている。
【００３２】
より詳細には、図１４及び図１５に示すように、伝達部５、６の先端部５ａ、６ａは、筐体１の上下方向に沿った断面で見た時、下方が凸の三角柱状に形成され、かつ、筐体１の前後方向（図１４において左右方向）にこの三角柱が延在するように形成されている。従って、伝達部５、６の先端部５ａ、６ａは、入力部４ｂに線接触可能な形状に形成されていることになる。
【００３３】
従って、ユーザがマイクロスイッチ４の真下に相当する操作部２の位置（図１においてＫ部）を押下した場合、図１６の点線で示すように操作部２は下方移動し、これに伴って伝達部５も下方移動し、結果的に入力部４ｂが下方移動されて操作入力がされる。
【００３４】
このとき、従来の静音型マウス装置Ｍと同様に、操作部２は筐体１の支持部を支点として筐体１の上下方向に揺動可能に設けられているので、伝達部５は図１６の点線で示すように図１６の下方向及び左方向に移動する（そして図１６の例では１度だけ傾く）。しかしながら、伝達部５の先端部５ａは入力部４ｂに対して線接触可能な形状に形成されているので、伝達部５が図１６の左方向に移動することによる伝達部５から入力部４ｂへの図１６の左方向への押下力は入力部４ｂにほとんど伝達されず、伝達部５から入力部４ｂへは、図１６の下方向へ押下力のみ伝達される。この結果、入力部４ｂはほぼ下方向にのみ押下されることになる。
【００３５】
同様に、ユーザがマイクロスイッチ４の真下からややずれた位置（図１においてＬ部）を押下した場合、図１８の点線で示すように、操作部２は下方移動し、これに伴って伝達部５も下方移動し、結果的に入力部４ｂが下方移動されて操作入力がされる。
【００３６】
このとき、従来の静音型マウス装置Ｍと同様に、操作部２は筐体１に対して片持ち状態で支持されているので、伝達部５は図１８の点線で示すように図１８の下方向及び左方向に移動する（そして図１８の例では１度だけ傾く）とともに、図１９に示すように図１９の左側に（図１９の例では１．６２度だけ）傾いて移動する。しかしながら、伝達部５の先端部５ａは入力部４ｂに対して線接触可能な形状に形成されているので、伝達部５が図１８の左方向に移動することによる伝達部５から入力部４ｂへの図１８の左方向への押下力は入力部４ｂにほとんど伝達されず、さらに、伝達部５が図１９の左側に傾いて移動することによる伝達部５から入力部４ｂへの図１９への右方向への押下力も入力部４ｂにほとんど伝達されず、伝達部５から入力部４ｂへは、図１８の下方向へ押下力のみ伝達される。この結果、入力部４ｂはほぼ下方向にのみ押下されることになる。
【００３７】
従って、本実施形態のマウス装置Ｍによれば、操作部２、３を押し下げることによる操作入力に伴い、入力部４ｂを円滑に下方移動させることができる。この結果、本実施形態によれば、クリック動作に伴うユーザのクリック感の向上、及び静音性の向上を十分に追求することが可能となる。また入力部４ｂが円滑に下方に移動して意図した通りに押下され、押下の後、ボタンが戻らなくなることがない。
【００３８】
（第２実施形態）
次に、図２０〜図２５を参照して、本発明の第２実施形態であるマウス装置について説明する。図２０は、本発明の第２実施形態であるマウス装置における、図２に対応するＤ部拡大図、図２１は本発明の第２実施形態であるマウス装置における、図３に対応するＧ部拡大図である。
【００３９】
本実施形態のマウス装置Ｍも、図２０及び図２１に示すように、伝達部５、６の先端部５ａ、６ａは、筐体１の上下方向（図２０、図２１においても上下方向）、すなわち操作部２、３の移動方向である上下方向に沿った断面に沿って、マイクロスイッチ４の入力部４ｂに点接触可能な形状に形成されている。
【００４０】
より詳細には、図２０及び図２１に示すように、伝達部５、６の先端部５ａ、６ａは、下方が凸の半球状に形成されている。従って、伝達部５、６の先端部５ａ、６ａは、入力部４ｂに点接触可能な形状に形成されていることになる。
【００４１】
従って、ユーザがマイクロスイッチ４の真下に相当する操作部２の位置（図１においてＫ部）を押下した場合、図２２の点線で示すように操作部２は下方移動し、これに伴って伝達部５も下方移動し、結果的に入力部４ｂが下方移動されて操作入力がされる。
【００４２】
このとき、操作部２は筐体１の支持部を支点として筐体１の上下方向に揺動可能に設けられているので、伝達部５は図２２の点線で示すように図２２の下方向及び左方向に移動する（そして図２２の例では１度だけ傾く）が、伝達部５の先端部５ａは入力部４ｂに対して点接触可能な形状に形成されているので、伝達部５から入力部４ｂへは、図２２の下方向へ押下力のみ伝達される。この結果、入力部４ｂはほぼ下方向にのみ押下されることになる。
【００４３】
同様に、ユーザがマイクロスイッチ４の真下からややずれた位置（図１においてＬ部）を押下した場合、図２４の点線で示すように、操作部２は下方移動し、これに伴って伝達部５も下方移動し、結果的に入力部４ｂが下方移動されて操作入力がされる。
【００４４】
このとき、伝達部５は図２４の点線で示すように図２４の下方向及び左方向に移動する（そして図２４の例では１度だけ傾く）とともに、図２５に示すように図２５の左側に（図２５の例では１．６２度だけ）傾いて移動するが、伝達部５の先端部５ａは入力部４ｂに対して点接触可能な形状に形成されているので、伝達部５から入力部４ｂへは、図２４の下方向へ押下力のみ伝達される。この結果、入力部４ｂはほぼ下方向にのみ押下されることになる。
【００４５】
従って、本実施形態のマウス装置Ｍによっても、操作部２、３を押し下げることによる操作入力に伴い、入力部４ｂを円滑に下方移動させることができる。この結果、本実施形態によれば、クリック動作に伴うユーザのクリック感の向上、及び静音性の向上を十分に追求することが可能となる。また入力部４ｂが円滑に下方に移動して意図した通りに押下され、押下の後、ボタンが戻らなくなることがない。
【００４６】
（変形例）
なお、本発明のマウス装置は、その細部が上述の各実施形態に限定されず、種々の変形例が可能である。一例として、上述の各実施形態においては、伝達部５、６の先端部５ａ、６ａが入力部４ｂに対して線接触または点接触可能な形状に形成されていたが、伝達部５、６の先端部５ａ、６ａが、操作部２、３の移動方向に沿った断面において入力部４ｂに点接触可能な形状を有すれば、その形状に特段の限定はない。
【００４７】
さらに言えば、伝達部５、６の先端部５ａ、６ａが、入力部４ｂをその移動方向に沿って移動させることが可能な形状に形成されていてもよい。一例として、伝達部５、６の先端部５ａ、６ａが、入力部４ｂの入力面４ｃに直交する方向から見て平面視十字形の凸部に形成されていてもよい。
【符号の説明】
【００４８】
Ｍ    マウス装置
１    筐体
２、３    操作部
４    マイクロスイッチ
４ｂ    入力部
４ｃ    入力面
５、６    伝達部
５ａ、６ａ  先端部
【図１】
2018163480.tif 000003
【図２】
2018163480.tif 000004
【図３】
2018163480.tif 000005
【図４】
2018163480.tif 000006
【図５】
2018163480.tif 000007
【図６】
2018163480.tif 000008
【図７】
2018163480.tif 000009
【図８】
2018163480.tif 000010
【図９】
2018163480.tif 000011
【図１０】
2018163480.tif 000012
【図１１】
2018163480.tif 000013
【図１２】
2018163480.tif 000014
【図１３】
2018163480.tif 000015
【図１４】
2018163480.tif 000016
【図１５】
2018163480.tif 000017
【図１６】
2018163480.tif 000018
【図１７】
2018163480.tif 000019
【図１８】
2018163480.tif 000020
【図１９】
2018163480.tif 000021
【図２０】
2018163480.tif 000022
【図２１】
2018163480.tif 000023
【図２２】
2018163480.tif 000024
【図２３】
2018163480.tif 000025
【図２４】
2018163480.tif 000026
【図２５】
2018163480.tif 000027